(57)【要約】【課題】作業効率および操作性を向上し得る測定装置を提供する。【解決手段】測定対象体としてのバッテリ１０１の抵抗値Ｒを測定する測定部（ＣＰＵ９、電圧検出部４）と、測定部によって測定された抵抗値ＲをＲＡＭ５に保存するＣＰＵ９とを備えたバッテリテスタ１であって、抵抗値Ｒを測定するための測定用端子（第１端子２２ａ，２２ｂ，第２端子２３ａ，２３ｂ）とバッテリ１０１の電極１０２ａ，１０２ｂとの接続状態を検出する検出部（第１検出回路３ａ、第２検出回路３ｂ）を備え、ＣＰＵ９は、測定用端子と電極１０２ａ，１０２ｂとの接続が検出部によって検出され、かつ測定している抵抗値Ｒの変動状態が所定の条件を満たしたときにその抵抗値ＲをＲＡＭ５に保存する。【選択図】図１
2007212340.tif 000002
【特許請求の範囲】
【請求項１】
測定対象体についての所定のパラメータを測定する測定部と、当該測定部によって測定された前記パラメータの測定値を記憶部に保存する制御部とを備えた測定装置であって、
前記所定のパラメータを測定するための測定用端子と前記測定対象体の被接続部との接続状態を検出する検出部を備え、
前記制御部は、前記測定用端子と前記被接続部との接続が前記検出部によって検出され、かつ測定している前記測定値の変動状態が所定の条件を満たしたときに当該測定値を前記記憶部に保存する保存処理を実行する測定装置。
【請求項２】
前記制御部は、前記測定用端子と前記被接続部との非接続が前記検出部によって検出された後であって、前記測定用端子と前記被接続部との接続が前記検出部によって検出され、かつ測定している前記測定値の変動状態が前記所定の条件を満たしたときに前記保存処理を実行する請求項１記載の測定装置。
【請求項３】
前記測定用端子としての一対の第１端子を介して前記被接続部に出力する第１交流電流を生成する第１電源部と、前記測定用端子としての一対の第２端子を介して前記被接続部に出力する第２交流電流を生成する第２電源部とを備え、
前記検出部は、前記第１交流電流の導通状態に基づいて前記各第１端子と前記被接続部との接続状態を検出する第１検出回路と、前記第２交流電流の導通状態に基づいて前記各第２端子と前記被接続部との接続状態を検出する第２検出回路とを備えて構成され、
前記測定部は、前記第１交流電流の出力によって前記被接続部に生じる電圧を当該被接続部に接続された前記各第２端子を介して入力して前記パラメータを測定可能に構成されている請求項１または２記載の測定装置。
【発明の詳細な説明】
【技術分野】
【０００１】
本発明は、測定対象体の被接続部に少なくとも一対の測定用端子を接続して所定のパラメータを測定可能に構成された測定装置に関するものである。
【背景技術】
【０００２】
この種の測定装置として、特開平９−２８１２０２号公報において出願人が開示した電池測定装置が知られている。この電池測定装置は、交流定電流源、内部抵抗検出部、電圧検出部およびディジタル処理部等を備えて構成されている。この場合、交流定電流源は、測定対象としての電池の各端子に測定電極を介して交流電流（測定信号）を出力し、内部抵抗検出部は、交流電流の通電によって各端子間に生じる交流電圧を測定電極を介して入力して、その交流電圧に基づいて電池の実効抵抗を検出する。また、電圧検出部は、測定電極を介して入力される電池の各端子間の直流電圧を検出し、ディジタル処理部は、各検出部からの検出信号を処理した測定データをＲＡＭに保存する。
【０００３】
また、この電池測定装置は、電池の端子を挟持可能なプローブを備えており、このプローブの先端には、上記の測定電極が取り付けられている。また、このプローブには、ＲＡＭへの測定データの保存を指示するためのメモリトリガスイッチが配設されている。このため、この電池測定装置では、例えば、数多く並べられた電池の各端子にプローブを接続して（接触させて）各電池の内部抵抗を連続して測定するような測定形態において、プローブから手を離すことなく、プローブに配設されているメモリトリガスイッチを操作することで、測定データをＲＡＭに保存することが可能なため、作業効率の向上および操作性の向上が可能となっている。
【特許文献１】特開平９−２８１２０２号公報（第４−６頁、第１図）
【発明の開示】
【発明が解決しようとする課題】
【０００４】
ところが、上記の電池測定装置には、改善すべき以下の課題がある。すなわち、この電池測定装置では、プローブにメモリトリガスイッチを配設したことによって作業効率および操作性の向上が図られている。しかしながら、一般的に、プローブの測定電極を端子に接触させたときには、測定データが変動するため、正確な測定データをＲＡＭに保存するためには、表示部に表示される測定値（測定データ）を確認しつつ測定値が安定したか否かを判断して、適切なタイミングでメモリトリガスイッチを操作する必要がある。したがって、この確認作業が煩雑であり、さらなる作業効率向上の観点からこの点の改善が望まれている。
【０００５】
また、上記の電池測定装置では、プローブが測定対象体の端子を挟持するタイプのため、平面的な端子を挟持するのが困難である。このため、この種の端子を有する測定対象体を測定する際には、先端部を端子に押し当てる棒状タイプのプローブを用いる必要がある。この場合、棒状タイプのプローブにメモリトリガスイッチを配設したとしても、プローブの先端部を端子に押し当てつつメモリトリガスイッチを操作するのはやや困難であり、さらなる操作性向上の観点からこの点の改善も望まれている。
【０００６】
本発明は、かかる課題に鑑みてなされたものであり、作業効率および操作性を向上し得る測定装置を提供することを主目的とする。
【課題を解決するための手段】
【０００７】
上記目的を達成すべく請求項１記載の測定装置は、測定対象体についての所定のパラメータを測定する測定部と、当該測定部によって測定された前記パラメータの測定値を記憶部に保存する制御部とを備えた測定装置であって、前記所定のパラメータを測定するための測定用端子と前記測定対象体の被接続部との接続状態を検出する検出部を備え、前記制御部は、前記測定用端子と前記被接続部との接続が前記検出部によって検出され、かつ測定している前記測定値の変動状態が所定の条件を満たしたときに当該測定値を前記記憶部に保存する保存処理を実行する。
【０００８】
また、請求項２記載の測定装置は、請求項１記載の測定装置において、前記制御部は、前記測定用端子と前記被接続部との非接続が前記検出部によって検出された後であって、前記測定用端子と前記被接続部との接続が前記検出部によって検出され、かつ測定している前記測定値の変動状態が前記所定の条件を満たしたときに前記保存処理を実行する。
【０００９】
また、請求項３記載の測定装置は、請求項１または２記載の測定装置において、前記測定用端子としての一対の第１端子を介して前記被接続部に出力する第１交流電流を生成する第１電源部と、前記測定用端子としての一対の第２端子を介して前記被接続部に出力する第２交流電流を生成する第２電源部とを備え、前記検出部は、前記第１交流電流の導通状態に基づいて前記各第１端子と前記被接続部との接続状態を検出する第１検出回路と、前記第２交流電流の導通状態に基づいて前記各第２端子と前記被接続部との接続状態を検出する第２検出回路とを備えて構成され、前記測定部は、前記第１交流電流の出力によって前記被接続部に生じる電圧を当該被接続部に接続された前記各第２端子を介して入力して前記パラメータを測定可能に構成されている。
【発明の効果】
【００１０】
請求項１記載の測定装置によれば、測定用端子と測定対象体の被接続部との接続が検出されかつ測定している測定値の変動状態が所定の条件を満たしたときに、制御部が測定値を記憶部に保存することにより、従来の測定装置とは異なり、測定値の保存タイミングを決定するために表示部を監視しつつ測定値が安定したか否かを判断する作業を不要とすることができるため、その分、作業効率を十分に向上させることができる。また、制御部が記憶部に測定値を自動的に保存するため、手動による保存用スイッチの操作が必要な従来の測定装置と比較して、操作性を十分に向上させることができる。
【００１１】
また、請求項２記載の測定装置によれば、測定用端子と測定対象体の被接続部との非接続が検出部によって検出された後であって、測定用端子と被接続部との接続が検出部によって検出されかつ測定している測定値の変動状態が所定の条件を満たしたときに、制御部が測定値を記憶部に保存することにより、測定用端子と被接続部との非接続および接続を繰り返すだけで、複数の測定対象体の測定値の測定および保存を連続して自動的に行わせることができる。したがって、複数の測定対象体の測定値を連続して測定する測定形態における作業効率を一層向上させることができる。
【００１２】
また、請求項３記載の測定装置によれば、第１端子と被接続部との接続状態を検出する第１検出回路と、第２端子と被接続部との接続状態を検出する第２検出回路とを備えたことにより、４端子法で測定値を測定する際の作業効率および操作性を十分に向上させることができる。
【発明を実施するための最良の形態】
【００１３】
以下、本発明に係る測定装置の最良の形態について、添付図面を参照して説明する。
【００１４】
最初に、バッテリテスタ１の構成について、図面を参照して説明する。
【００１５】
図１に示すバッテリテスタ１は、本発明に係る測定装置の一例であって、図２に示すバッテリユニット１００を構成する各バッテリ１０１ａ〜１０１ｅ（本発明における測定対象体の一例：以下、区別しないときには「バッテリ１０１」ともいう）の内部抵抗（本発明におけるパラメータの一例）の抵抗値を４端子法によって測定可能に構成されている。具体的には、バッテリテスタ１は、図１に示すように、第１電源部２ａ、第２電源部２ｂ（以下、両電源部２ａ，２ｂを区別しないときには「電源部２」ともいう）、第１検出回路３ａ、第２検出回路３ｂ（以下、両検出回路３ａ，３ｂを区別しないときには「検出回路３」ともいう）、電圧検出部４、ＲＡＭ５、ＲＯＭ６、操作部７、表示部８およびＣＰＵ９を備えて構成されている。
【００１６】
第１電源部２ａは、本発明における第１交流電流に相当する交流電流Ｉｍを生成可能に構成されている。この場合、第１電源部２ａには、一対の第１端子２２ａ，２２ｂ（図１参照：以下、区別しないときには「第１端子２２」ともいう）が接続され、この第１端子２２を介して交流電流Ｉｍがバッテリ１０１における一対の電極１０２ａ，１０２ｂ（本発明における被接続部に相当する：以下、電極１０２ａ，１０２ｂを区別しないときには「電極１０２」ともいう）に出力される。第２電源部２ｂは、本発明における第２交流電流に相当する交流電流Ｉｃを生成可能に構成されている。また、第２電源部２ｂには、一対の第２端子２３ａ，２３ｂ（同図参照：以下、区別しないときには「第２端子２３」ともいう）が接続され、この第２端子２３を介して交流電流Ｉｃがバッテリ１０１の電極１０２ａ，１０２ｂに出力される。この場合、第１端子２２ａおよび第２端子２３ａは、図２，３に示すプローブユニット１０ａの先端部において絶縁されつつ互いに隣接した状態で配設され、第１端子２２ｂおよび第２端子２３ｂは、プローブユニット１０ｂ（以下、プローブユニット１０ａ，１０ｂを区別しないときには「プローブユニット１０」ともいう）の先端部において絶縁されつつ互いに隣接した状態で配設されている。なお、第１端子２２および第２端子２３が、本発明における測定用端子に相当する。
【００１７】
第１検出回路３ａは、例えば、検出用抵抗Ｒｄ１（図１参照）の両端間の電圧値を測定することによって交流電流Ｉｍの導通状態（導通および非導通）を検出する。つまり、第１検出回路３ａは、検出用抵抗Ｒｄ１の両端間の電圧値が所定電圧以上のときには、交流電流Ｉｍが導通状態と検出し、所定電圧未満ときには、交流電流Ｉｍが非導通状態と検出する。また、第１検出回路３ａは、交流電流Ｉｍの導通状態に基づいて両第１端子２２とバッテリ１０１の両電極１０２との接続状態（接続および非接続）を検出して、その接続状態を識別可能な検出信号Ｓ１をＣＰＵ９に出力する。この場合、第１検出回路３ａは、交流電流Ｉｍが導通状態のときには、両第１端子２２とバッテリ１０１の両電極１０２とが接続されていることを示す検出信号Ｓ１を出力し、交流電流Ｉｍが非導通状態のときには、両第１端子２２とバッテリ１０１の両電極１０２とが非接続であることを示す検出信号Ｓ１を出力する。
【００１８】
第２検出回路３ｂは、例えば、検出用抵抗Ｒｄ２（同図参照）の両端間の電圧値を測定することによって交流電流Ｉｃの導通状態を検出する。つまり、第２検出回路３ｂは、検出用抵抗Ｒｄ２の両端間の電圧値が所定電圧以上のときには、交流電流Ｉｃが導通状態と検出し、所定電圧未満ときには、交流電流Ｉｃが非導通状態と検出する。また、第２検出回路３ｂは、交流電流Ｉｃの導通状態に基づいて両第２端子２３とバッテリ１０１の両電極１０２との接続状態を検出して、その接続状態を識別可能な検出信号Ｓ２をＣＰＵ９に出力する。この場合、第２検出回路３ｂは、交流電流Ｉｃが導通状態のときには、両第１端子２３とバッテリ１０１の両電極１０２とが接続されていることを示す検出信号Ｓ２を出力し、交流電流Ｉｃが非導通状態のときには、両第１端子２３とバッテリ１０１の両電極１０２とが非接続であることを示す検出信号Ｓ１を出力する。なお、第１検出回路３ａおよび第２検出回路３ｂによって本発明における検出部が構成される。
【００１９】
電圧検出部４は、例えばＡ／Ｄ変換回路（図示せず）を備えて構成され、ＣＰＵ９の制御に従い、バッテリ１０１の電極１０２ａ，１０２ｂに交流電流Ｉｍが出力されたときに生じる電極１０２ａ，１０２ｂ間の電圧の電圧値Ｖを検出して、電圧値Ｖを示す電圧データＤｖを出力する。
【００２０】
ＲＡＭ５は、ＣＰＵ９の制御に従い、バッテリ１０１の抵抗値Ｒ（本発明におけるパラメータの測定値）を保存（記憶）する。また、ＲＡＭ５は、ＣＰＵ９によって設定される接続フラグＦ（これについては後述する）を記憶する。ＲＯＭ６は、ＣＰＵ９によって実行される抵抗値測定記録処理４０（図５参照）において用いられる閾値Ｂ等を記憶する。操作部７は、図３に示すように、電源スイッチ７１、開始スイッチ７２および終了スイッチ７３などの各種のスイッチを備えて構成されると共に、バッテリテスタ１の正面パネルに配設されて、各スイッチの操作に対応する操作信号Ｓ３をＣＰＵ９に出力する。表示部８は、例えば、ＬＣＤパネルで構成されると共に、同図に示すように、バッテリテスタ１の正面パネルに配設されて、ＣＰＵ９の制御に従って各種の画像（例えば、図４に示す画像Ｇ）を表示する。
【００２１】
ＣＰＵ９は、電圧検出部４と共に本発明における測定部を構成し、図５に示す抵抗値測定保存処理４０を実行して、電圧検出部４から出力される電圧データＤｖに基づいてバッテリ１０１の抵抗値Ｒを算出（測定）する。また、ＣＰＵ９は、第１検出回路３ａから出力された検出信号Ｓ１に基づいて両第１端子２２が両電極１０２にそれぞれ接続されているか否かを判別すると共に、第２検出回路３ｂから出力された検出信号Ｓ２に基づいて両第２端子２３が両電極１０２にそれぞれ接続されているか否かを判別する。この場合、ＣＰＵ９は、両第１端子２２および両第２端子２３のすべてが電極１０２に接続されていると判別したときには、ＲＡＭ５に記憶させる接続フラグＦを１に設定し、両第１端子２２および両第２端子２３のうちの１つ以上が電極１０２と非接続のときには、接続フラグＦを０に設定する。
【００２２】
さらに、ＣＰＵ９は、本発明における制御部として機能し、両第１端子２２および両第２端子２３の１つ以上が電極１０２に非接続（つまり、接続フラグＦが０）の状態から、両第１端子２２および両第２端子２３のすべてが電極１０２に接続され（つまり、接続フラグＦが１となり）かつ算出（測定）している抵抗値Ｒ（電圧値Ｖ）の変動状態が所定の条件を満たしたときに、その算出した抵抗値ＲをＲＡＭ５に保存する。
【００２３】
次に、バッテリユニット１００を構成する各バッテリ１０１の抵抗値Ｒをバッテリテスタ１を用いて測定する方法について、図面を参照して説明する。
【００２４】
まず、操作部７の電源スイッチ７１を操作する。この際に、ＣＰＵ９が、ＲＡＭ５を初期化してＲＡＭ５に保存されている各データを消去させると共に、接続フラグＦを０に設定する。次いで、開始スイッチ７２を操作する。この際に、操作部７が、開始スイッチ７２に対応する操作信号Ｓ３を出力し、ＣＰＵ９が、その操作信号Ｓ３に従って図５に示す抵抗値測定保存処理４０を実行する。この抵抗値測定保存処理４０では、ＣＰＵ９は、まず、接続フラグＦが０であるか否かを判別する（ステップ４１）。この場合、初期状態では（ＲＡＭ５を初期化した際に）接続フラグＦが０に設定されているため、ＣＰＵ９は、第１電源部２ａを制御して交流電流Ｉｍを生成させると共に、第２電源部２ｂを制御して交流電流Ｉｃを生成させる（ステップ４２）。
【００２５】
続いて、図２に示すように、バッテリユニット１００の各バッテリ１０１ａ〜１０１ｅのうちの例えばバッテリ１０１ａの電極１０２ａ，１０２ｂにプローブユニット１０ａ，１０ｂをそれぞれ接続（接触）させる。この際に、プローブユニット１０ａの先端部に配設されている第１端子２２ａおよび第２端子２３ａが電極１０２ａに接続されると共に、プローブユニット１０ｂの先端部に配設されている第１端子２２ｂおよび第２端子２３ｂが電極１０２ｂに接続される。これにより、第１端子２２ａ，２２ｂを介して第１電源部２ａからの交流電流Ｉｍがバッテリ１０１ａの電極１０２ａ，１０２ｂに出力されると共に、第２端子２３ａ，２３ｂを介して第２電源部２ｂからの交流電流Ｉｃが電極１０２ａ，１０２ｂに出力される。
【００２６】
次いで、検出回路３ａが、交流電流Ｉｍの導通状態に基づいて両第１端子２２と両電極１０２との接続状態を検出して、その接続状態を識別可能な検出信号Ｓ１をＣＰＵ９に出力する。また、第２検出回路３ｂが、交流電流Ｉｃの導通状態に基づいて両第２端子２３と両電極１０２との接続状態を検出して、その接続状態を識別可能な検出信号Ｓ２をＣＰＵ９に出力する。
【００２７】
続いて、ＣＰＵ９は、第１検出回路３ａから出力された検出信号Ｓ１に基づいて両第１端子２２のいずれもが両電極１０２に接続されているか否かを判別すると共に、第２検出回路３ｂから出力された検出信号Ｓ２に基づいて両第２端子２３のいずれもが両電極１０２に接続されているか否かを判別する（ステップ４３）。この場合、ＣＰＵ９は、両第１端子２２および第２端子２３の１つ以上が電極１０２と非接続であると判別したときには、両第１端子２２および両第２端子２３のすべてが電極１０２に接続されるまで、つまり両プローブユニット１０ａ，１０ｂのいずれもが電極１０２に接続されるまでステップ４３を繰り返して実行する。この際に、ＣＰＵ９は、両第１端子２２および両第２端子２３が接続されていない旨（例えば、「プローブユニットが接続されていません」の表示）を表示部８に表示させる。一方、ＣＰＵ９は、両第１端子２２および両第２端子２３のすべてが電極１０２に接続されていると判別したときには、ＲＡＭ５に記憶させる接続フラグＦを１に設定する（ステップ４４）。
【００２８】
次いで、ＣＰＵ９は、電圧検出部４を制御して、交流電流Ｉｍの出力によって電極１０２ａ，１０２ｂ間に生じる電圧の電圧値Ｖを検出させると共に、電圧値Ｖを示す電圧データＤｖを出力させる。続いて、ＣＰＵ９は、電圧データＤｖに基づいてバッテリ１０１ａの抵抗値Ｒを算出する（ステップ４５）。また、ＣＰＵ９は、表示部８を制御して、図４に示すように、抵抗値Ｒ（同図において、「３１．００ｍΩ」が相当する）を示す画像Ｇを表示させる。
【００２９】
次いで、ＣＰＵ９は、ＲＯＭ６から閾値Ｂを読み出すと共に、閾値Ｂに基づき、バッテリ１０１ａの抵抗値Ｒの変動状態が所定の条件を満たしたか否かを判別する（ステップ４６）。ここで、このバッテリテスタ１では、一例として、抵抗値Ｒにおける最小の位（電圧検出部４におけるＡ／Ｄ変換回路の分解能に基づいて規定される位）の変動回数が１秒間に所定回数以下となったとき、つまり抵抗値Ｒの変動状態が所定のレベルまで安定したときに所定の条件を満たしたと規定されており、この所定回数（例えば３回）が閾値ＢとしてＲＯＭ６に記憶されている。この場合、ＣＰＵ９は、抵抗値Ｒの変動状態が上記の条件を満たしたと判別したきには、表示部８を制御してその時点における抵抗値Ｒを示す画像Ｇを表示した状態に維持（ホールド）させる（ステップ４７）。
【００３０】
続いて、ＣＰＵ９は、上記の条件を満たしたと判別した時点、つまり抵抗値Ｒの変動状態が所定のレベルまで安定した時点の抵抗値ＲをＲＡＭ５に保存する（ステップ４８）。この場合、このバッテリテスタ１では、その値が所定のレベルに安定した時点の抵抗値ＲがＲＡＭ５に保存されるため、測定値の保存タイミングを決定するために表示部を監視しつつ測定値が安定したか否かを測定者が判断する必要のある従来の測定装置と比較して、作業効率を十分に向上させることができる。また、ＣＰＵ９がＲＡＭ５に抵抗値Ｒを自動的に保存するため、保存用スイッチ（メモリトリガスイッチ）の手動操作が必要な従来の測定装置と比較して、操作性を十分に向上させることが可能となっている。
【００３１】
次いで、ＣＰＵ９は、第１検出回路３ａからの検出信号Ｓ１、および第２検出回路３ｂからの検出信号Ｓ２に基づき、両第１端子２２および両第２端子２３の１つ以上が電極１０２と非接続となったか否かを判別する（ステップ４９）。この場合、ＣＰＵ９は、両第１端子２２および両第２端子２３のすべてが電極１０２に接続されているときには、両第１端子２２および両第２端子２３の１つ以上が電極１０２と非接続となるまで、つまりプローブユニット１０ａ，１０ｂの少なくとも一方が電極１０２から離間するまでステップ４９を繰り返して実行する。
【００３２】
また、ＣＰＵ９は、両第１端子２２および両第２端子２３の１つ以上が電極１０２と非接続となったときには、ＲＡＭ５に記憶させる接続フラグＦを０に設定する（ステップ５０）。次いで、ＣＰＵ９は、上記したステップ４３に戻り、ステップ４３〜ステップ５０を繰り返し実行する。
【００３３】
一方、例えば、バッテリ１０１ａに隣接するバッテリ１０１ｂの抵抗値Ｒを測定する際には、上記の操作と同様にして、バッテリ１０１ｂの電極１０２ａ，１０２ｂにプローブユニット１０ａ，１０ｂをそれぞれ接続させる。続いて、ＣＰＵ９は、ステップ４３において、両第１端子２２および両第２端子２３のすべてが電極１０２に接続されていると判別して、ステップ４４〜ステップ４６を実行する。この際に、ＣＰＵ９は、両第１端子２２および両第２端子２３の１つ以上が電極１０２と非接続となった後（つまり、接続フラグＦが０となった後）であって、両端子２２，２３のすべてが電極１０２に接続され（つまり、接続フラグＦが１となり）、かつ算出している抵抗値Ｒの変動状態が上記の条件を満たしたときには、ステップ４７，４８を実行する。続いて、ＣＰＵ９は、上記と同様にしてステップ４９〜５１を実行する。なお、ＣＰＵ９は、この抵抗値測定保存処理４０の実行中において、操作部７からの操作信号Ｓ３に基づいて終了スイッチ７３が操作されたか否かを判別し、操作されたと判別したときには、この抵抗値測定保存処理４０を終了する。
【００３４】
以下、バッテリ１０１ｃ〜１０１ｅの抵抗値Ｒの測定および保存を行う際には、上記の操作を繰り返す。この場合、両端子２２，２３の１つ以上が電極１０２と非接続となった後であって、両端子２２，２３のすべてが電極１０２に接続され、かつ算出している抵抗値Ｒの変動状態が上記の条件を満たしたときにＣＰＵ９が抵抗値ＲをＲＡＭ５に自動的に保存するため、両端子２２，２３と電極１０２との非接続および接続、つまりプローブユニット１０と電極１０２との非接続および接続を繰り返すだけで、各バッテリ１０１の抵抗値Ｒの測定および保存を連続して行うことが可能となる。次いで、例えば、バッテリ１０１の抵抗値Ｒの測定を終了する際には終了スイッチ７３を操作する。この際には、ＣＰＵ９は、操作部７からの操作信号Ｓ３に基づいて終了スイッチ７３が操作されたと判別して（ステップ５１）、この抵抗値測定保存処理４０を終了する。
【００３５】
このように、このバッテリテスタ１によれば、両端子２２，２３と電極１０２との接続が検出されかつ算出している抵抗値Ｒの変動状態が上記の所定の条件を満たしたときに、ＣＰＵ９が抵抗値ＲをＲＡＭ５に保存することにより、従来の測定装置とは異なり、測定値の保存タイミングを決定するために表示部を監視しつつ測定値が安定したか否かを判断する作業を不要とすることができるため、その分、作業効率を十分に向上させることができる。また、ＣＰＵ９がＲＡＭ５に抵抗値Ｒを自動的に保存するため、手動による保存用スイッチの操作が必要な従来の測定装置と比較して、操作性を十分に向上させることができる。
【００３６】
また、このバッテリテスタ１によれば、両端子２２，２３と電極１０２との非接続が検出された後であって、両端子２２，２３と電極１０２との接続が検出されかつ算出している抵抗値Ｒの変動状態が上記の所定の条件を満たしたときに、ＣＰＵ９が抵抗値ＲをＲＡＭ５に保存することにより、両端子２２，２３と電極１０２との非接続および接続、つまりプローブユニット１０と電極１０２との非接続および接続を繰り返すだけで、複数のバッテリ１０１の抵抗値Ｒの測定および保存を連続して自動的に行わせることができる。したがって、複数のバッテリ１０１の抵抗値Ｒを連続して測定する測定形態における作業効率を一層向上させることができる。
【００３７】
また、このバッテリテスタ１によれば、第１端子２２と電極１０２との接続状態を検出する第１検出回路３ａと、第２端子２３と電極１０２との接続状態を検出する第２検出回路３ｂとを備えたことにより、４端子法で抵抗値Ｒを測定する際の作業効率および操作性を十分に向上させることができる。
【００３８】
なお、本発明は、上記の構成に限定されない。例えば、抵抗値Ｒを測定するバッテリテスタ１に適用した例について上記したが、電圧、電流および温度等の各種のパラメータを測定可能な測定装置に本発明を適用することができる。また、これらの各種パラメータを２種類以上測定可能な測定装置に適用することもできる。また、４端子法で抵抗値Ｒを測定するバッテリテスタ１を例に挙げて説明したが、２端子法で各種のパラメータを測定する測定装置に適用することもできる。
【図面の簡単な説明】
【００３９】
【図１】バッテリテスタ１の構成を示す構成図である。
【図２】バッテリユニット１００の構成を示す構成図である。
【図３】バッテリテスタ１の正面図である。
【図４】表示部８に画像Ｇを表示させている状態の表示画面図である。
【図５】抵抗値測定保存処理４０のフローチャートである。
【符号の説明】
【００４０】
１  バッテリテスタ
２ａ，２ｂ  電源部
３ａ  第１検出回路
３ｂ  第２検出回路
４  電圧検出部
５  ＲＡＭ
９  ＣＰＵ
２２ａ，２２ｂ  第１端子
２３ａ，２３ｂ  第２端子
１００  バッテリユニット
１０１，１０１ａ〜１０１ｅ  バッテリ
１０２ａ，１０２ｂ  電極
Ｉｃ，Ｉｍ  交流電流
Ｒ  抵抗値
【図１】
2007212340.tif 000003
【図２】
2007212340.tif 000004
【図３】
2007212340.tif 000005
【図４】
2007212340.tif 000006
【図５】
2007212340.tif 000007